(57)【要約】【課題】指先のみ動かすことができる患者でも押しボタンを適切に操作できるようにする。【解決手段】上面に押しボタンが設けられた押しボタン式子機の本体の上面から覆う押しボタン式子機用カバー１０において、押しボタンの一部を露出させる露出部１１と、本体の他の部分を覆う被覆部１２とを備え、本体の上面から押しボタン式子機用カバー１０で覆い、押しボタンが覆われている被覆部１２の部分に患者の手のひらを乗せるとともに、押しボタンが覆われていない露出部１１の部分から患者の動かすことのできる指を中に入れて、内部にある押しボタン式子機の本体の上に指を置いた状態で待機しておくことにより、待機状態のときに手の重さで押しボタンが押されてしまうことを被覆部１２により防ぎつつ、必要に応じて患者の意思で指を動かすことによって押しボタンを操作することができるようにする。【選択図】図１
2019212505.tif 000002
【特許請求の範囲】
【請求項１】
置いた状態の上面に押しボタンが設けられた押しボタン式子機の本体の上面から覆うカバーであって、
上記押しボタン式子機の本体の少なくとも上記押しボタンの一部を露出させる露出部と、
上記本体の上記一部以外の部分を覆う被覆部とを備えたことを特徴とする押しボタン式子機用カバー。
【請求項２】
上記露出部および上記被覆部は、底面が開放され上記押しボタン式子機の本体の全体を収容可能な容積を有する筒状体または椀状体を用いて構成されていることを特徴とする請求項１に記載の押しボタン式子機用カバー。
【請求項３】
上記露出部は、１本の指が入る程度の幅を有する開口であることを特徴とする請求項１または２に記載の押しボタン式子機用カバー。
【請求項４】
上記露出部および上記被覆部は、底面が開放され上記押しボタン式子機の本体の全体を収容可能な容積を有する筒状体を用いて構成され、
上記露出部は、１本の指が入る程度の幅を有し上記筒状体の上面および側面に連接する切り欠きであることを特徴とする請求項１に記載の押しボタン式子機用カバー。
【請求項５】
上記露出部および上記被覆部は、底面が開放され上記押しボタン式子機の本体の全体を収容可能な容積を有する筒状体または椀状体を用いて構成され、
上記露出部は、１本の指が入る程度の幅を有し上記筒状体の上面または上記椀状体の湾曲面部に設けられた穴であることを特徴とする請求項１に記載の押しボタン式子機用カバー。
【請求項６】
上記被覆部に延設された手のひら載置部を更に備えたことを特徴とする請求項１〜５の何れか１項に記載の押しボタン式子機用カバー。
【請求項７】
上記被覆部の底面に固着された平面状の安定板を更に備えたことを特徴とする請求項１〜６の何れか１項に記載の押しボタン式子機用カバー。
【請求項８】
上面に押しボタンが設けられた本体と、
上記本体の上面から覆うカバーであって、少なくとも上記押しボタンの一部を露出させ、上記本体の上記一部以外の部分を覆うように構成されたカバーとを備えたことを特徴とする押しボタン式子機。
【請求項９】
上記本体の底面に設けられた台座と、
上記台座の底面に固着された平面状の安定板とを更に備えたことを特徴とする請求項８に記載の押しボタン式子機。
【発明の詳細な説明】
【技術分野】
【０００１】
本発明は、押しボタン式子機用カバーおよび押しボタン式子機に関し、特に、上面に押しボタンが設けられた押しボタン式子機の上面から覆うカバーおよび当該カバーを備えた押しボタン式子機に用いて好適なものである。
【背景技術】
【０００２】
従来、病院や介護施設などでは、ナースコールシステムが用いられている。ナースコールシステムは、ナースコール子機とナースコール親機とを備えて構成され、患者や被介護者（以下、単に患者という）がナースコール子機の呼出ボタンを押下して呼び出しを行うと、呼び出しが行われたことがナースコール親機にて報知されるようになっている。
【０００３】
ところで、ナースコール子機には様々なタイプのものがある。その１つに、置いたときに安定する扁平形状のケースの上面の中央に大きな押しボタンを設けたものが知られている（例えば、特許文献１参照）。患者がこのタイプの押しボタン式子機を操作する場合、例えばケースをベッド等に置いた状態で、何れかの指で押しボタンを押下する。
【０００４】
また、本出願人は、重症・身体機能障がい者向けのナースコール子機として、円盤状に構成された子機の中央部に支柱を備え、その周囲の部分を押下可能に構成した押しボタン式子機を提供している（非特許文献１参照）。この非特許文献１に記載の押しボタン式子機は、筋ジストロフィーやＡＬＳ（筋萎縮性側索硬化症）の進行初期段階の患者が使用するのに好適である。
【先行技術文献】
【特許文献】
【０００５】
【特許文献１】特開２０００−２０８５４号公報
【非特許文献】
【０００６】
【非特許文献１】ケアコム・ウェブサイト製品情報「ソフトタッチボタン（安定板取付型）」  https://www-Harecom.jp/products/accessories/sensor_bedside/bedside02/
【発明の概要】
【発明が解決しようとする課題】
【０００７】
筋ジストロフィーやＡＬＳの進行が進んでいくと、患者は腕や手を自分の意図通りに動かすことができなくなり、指先のみを動かすことができる状態になることがある。しかしながら、上記特許文献１および非特許文献１に記載の押しボタン式子機は、指先のみを動かすことができる患者には操作することが難しいという問題があった。腕や手を意図通りに動かすことができないので、動かせる指先のみを押しボタンの位置に適切に運ぶこと自体が難しいからである。
【０００８】
本発明は、このような問題を解決するために成されたものであり、指先のみを自分の意図通りに動かすことができる患者でも押しボタン式子機の押しボタンを適切に操作することができるようにすることを目的とする。
【課題を解決するための手段】
【０００９】
上記した課題を解決するために、本発明は、置いた状態の上面に押しボタンが設けられた押しボタン式子機の本体の上面から覆うカバーであって、少なくとも押しボタンの一部を露出させ、押しボタン式子機の本体の上記一部以外の部分を覆うように構成している。
【発明の効果】
【００１０】
上記のように構成した本発明によれば、押しボタン式子機の本体を上面からカバーで覆い、押しボタンが覆われている被覆部分に患者の手のひらを乗せるとともに、押しボタンが覆われていない露出部分から患者の動かすことのできる指を中に入れて、内部にある押しボタン式子機の本体の上に指を置いた状態で待機しておくようにすれば、待機状態のときに手の重さで押しボタンが押されてしまうことを被覆部により防ぎつつ、必要に応じて患者の意思で指を動かすことによって押しボタンを操作することができるようになる。なお、待機状態へのセッティングは、他者の力を借りて行えばよい。これにより、指先のみを自分の意図通りに動かすことができる患者でも、押しボタン式子機の押しボタンを適切に操作することができるようになる。
【図面の簡単な説明】
【００１１】
【図１】本実施形態による押しボタン式子機用カバーの構成例を示す図である。
【図２】本実施形態の押しボタン式子機用カバーを適用する押しボタン式子機の構成例を示す図である。
【図３】本実施形態の押しボタン式子機用カバーを押しボタン式子機に装着した状態を示す図である。
【図４】本実施形態による押しボタン式子機用カバーの他の構成例を示す図である。
【図５】本実施形態による押しボタン式子機用カバーの他の構成例を示す図である。
【図６】本実施形態による押しボタン式子機用カバーの他の構成例を示す図である。
【発明を実施するための形態】
【００１２】
以下、本発明の一実施形態を図面に基づいて説明する。図１は、本実施形態による押しボタン式子機用カバーの構成例を示す図である。また、図２は、本実施形態の押しボタン式子機用カバーを適用する押しボタン式子機の構成例を示す図であり、図２（ａ）は全体の外観斜視図、図２（ｂ）は本体の部分を上方から見た上面図である。
【００１３】
図２（ａ）に示すように、本実施形態の押しボタン式子機用カバーを適用する押しボタン式子機２０は、当該押しボタン式子機２０を置いた状態の上面に押しボタンが設けられた本体２１と、本体２１の底面に設けられた台座２２と、台座２２の底面に固着された平面状の安定板２３とを備えている。本体２１は円盤状に構成されており、本体２１を乗せる台座２２は円形状に構成されている。図２では、本体２１の直径よりも台座２２の直径を大きく構成した例を示しているが、本体２１の直径と台座２２の直径とを略同じとしてもよい。
【００１４】
図２（ｂ）に示すように、本体２１は、中央に円柱状の支柱２１Ｂを有し、その支柱２１Ｂの周囲がリング状の押しボタン２１Ａとなっている。患者は、リング状の押しボタン２１Ａのどの場所を押してもよく、押された場所が下方に変移し、押された場所の支柱２１Ｂを挟んで反対側が上方に変移するように押しボタン２１Ａが傾倒するようになっている。
【００１５】
押しボタン式子機２０は、患者が使用するベッドなどの平坦な場所に安定板２３を置いて使用する。図２（ａ）のように、患者が手を使って押しボタン２１Ａを上方から押下することにより、ナースコールの呼び出しを行うことができるようになっている。すなわち、図示は省略しているが、押しボタン式子機２０の本体２１には台座２２を介してケーブルが接続されている。当該ケーブルは、ベッド近傍の壁面に設置された壁埋込形子機に接続される。患者が押しボタン２１Ａを押下すると、呼出信号がケーブルを介して壁埋込形子機に送信され、さらに呼出信号が廊下灯を介してナースコール親機に送信されることにより、ナースコールの呼び出しが行われる。
【００１６】
なお、図２（ａ）は、腕や手、指などを自由に動かすことのできる患者が押しボタン式子機２０を操作している状態を示している。しかしながら、腕や手を自由に動かすことができず、指先のみを動かすことができる患者の場合は、動かせる指先のみを押しボタン２１Ａの位置に適切に運ぶことが難しいため、図２（ａ）のように押しボタン式子機２０を操作することが難しい。そこで、図１に示す本実施形態の押しボタン式子機用カバー１０を使用する。
【００１７】
図１に示すように、本実施形態の押しボタン式子機用カバー１０は、図２（ａ）のように置いた状態の上面に押しボタン２１Ａが設けられた押しボタン式子機２０の本体２１の上面から覆うカバーである。本実施形態の押しボタン式子機用カバー１０は、押しボタン式子機２０の本体２１の上面から被せ、台座２２の上に載置して使用する。本実施形態の押しボタン式子機用カバー１０は、押しボタン式子機２０が備える押しボタン２１Ａの一部を露出させる露出部１１と、押しボタン２１Ａの一部以外の部分を覆う被覆部１２とを備えて構成される。
【００１８】
露出部１１および被覆部１２は、底面が開放され押しボタン式子機２０の本体２１の全体を収容可能な容積を有する筒状体を用いて構成されている。本実施形態において筒状体は、本体２１の水平断面形状に合わせて、水平断面形状が円形の円筒体（正確には、露出部１１の部分が欠けた円筒体）としている。ここで、被覆部１２のサイズは、本体２１を収容可能なサイズであればよいが、本体２１の上面から押しボタン式子機用カバー１０を被せたときに、被覆部１２とその内側の本体２１との間に大きな空隙が生じない程度のサイズとするのが好ましい。
【００１９】
すなわち、被覆部１２を形成している円筒体の直径（内径）は、押しボタン式子機２０の本体２１の直径よりも大きく、本体２１の底面にある台座２２の直径よりも小さいサイズとする。押しボタン式子機２０の本体２１の上面から押しボタン式子機用カバー１０を被せたときに、被覆部１２とその内側の本体２１との間に生じる水平方向の空隙ができるだけ小さくなるように、被覆部１２を形成している円筒体の内径を押しボタン式子機２０の本体２１の直径よりもわずかに（例えば、数ミリ程度）大きくするのが好ましい。空隙を小さくすることにより、被覆部１２の本体２１に対する水平方向の相対的な位置ずれを小さくすることができる。
【００２０】
また、被覆部１２を形成している円筒体の高さは、押しボタン式子機２０の台座２２から本体２１の頂部までの高さ（以下、単に本体２１の高さという）よりもわずかに（数ミリ程度）高くするのが好ましい。このようにすると、押しボタン式子機用カバー１０を押しボタン式子機２０の本体２１の上面から被せたときに、被覆部１２の上面と、露出部１１から露出されている押しボタン式子機２０の押しボタン２１Ａとの高さ方向の段差をできるだけ小さくすることができる。この段差を小さくすることにより、患者が押しボタン２１Ａを押下するときの指先のストローク量を少なくすることができるので、操作しやすくすることができる。なお、被覆部１２を形成している円筒体の高さと押しボタン式子機２０の本体２１の高さとを略同じ高さとすることにより、高さ方向には空隙が殆ど生じないようにしてもよい。
【００２１】
押しボタン２１Ａの一部を露出させる露出部１１は、１本の指が入る程度の幅を有する開口である。１本の指が入る程度の幅とは、五指の何れか１本の指が確実に入る幅で、かつ、隣り合う２本の指が同時には入らない幅である。本実施形態では、１本の指が入る程度の幅を有し、被覆部１２を形成している筒状体の上面および側面に連接する切り欠きとして露出部１１を構成している。この切り欠きは、被覆部１２の上面の部分については中央部から縁部（側面の上端の部分）まで帯状に開口し、側面の部分については上端から下端まで帯状に開口した形状を有するものである。
【００２２】
図１に示す例では、被覆部１２の上面における帯状の開口の中央側の端部を円弧状に形成している。これは、この中央部の開口の直下に位置することになる押しボタン式子機２０の支柱２１Ｂの外縁に沿わせる形状としたものである（図３（ｂ）参照）。なお、上面における帯状の開口の端部は、必ずしも円弧状の形状でなくてもよい。
【００２３】
被覆部１２は、その底面の円周に沿って水平方向に突出したリング状の板敷き部１３を備えている。この板敷き部１３は、押しボタン式子機用カバー１０を押しボタン式子機２０の本体２１の上面から被せたときに、押しボタン式子機用カバー１０が押しボタン式子機２０の台座２２の上に安定して載置されるようにするためのものである。よって、板敷き部１３の幅は、押しボタン式子機２０の台座２２の直径から被覆部１２の外径を減算した長さと同等かそれよりわずかに小さい程度とするのが好ましい。ただ、板敷き部１３の幅を上記減算した長さより大きくすることを否定するものではない。
【００２４】
なお、押しボタン式子機２０の本体２１の直径と台座２２の直径とが略同じとなるように構成されている場合は、板敷き部１３は安定板２３の上に安定して載置されることになる。この場合、被覆部１２を形成する円筒体の高さは、安定板２３から本体２１の頂部までの高さと略同じか、それよりもわずかに高い高さとする。
【００２５】
また、被覆部１２は、その上面の縁部の近傍位置に、露出部１１の辺に沿うように凸状の突起１４を備えている。患者の指先が突起１４に触れることにより、露出部１１が存在する位置を目視することなく確認することが可能である。筋ジストロフィーやＡＬＳの進行が進んだ患者は、頭を自由に動かすこともできない状態になることがあり、露出部１１のある位置を目で見て確認することができないことがある。その場合でも、突起１４があることによって、突起１４を指で感じることにより露出部１１の位置を容易に把握することが可能となる。
【００２６】
図３は、本実施形態の押しボタン式子機用カバー１０を押しボタン式子機２０に装着した状態を示す図であり、図３（ａ）は全体の外観斜視図、図３（ｂ）は押しボタン式子機用カバー１０の部分を上方から見た上面図である。図３に示すように、押しボタン式子機用カバー１０を押しボタン式子機２０の本体２１の上面から被せると、露出部１１において押しボタン２１Ａの一部２１Ａ-R（以下、露出部分２１Ａ-Rとも記す）および支柱２１Ｂが露出し、押しボタン２１Ａの他の部分２１Ａ-H（以下、被覆部分２１Ａ-Hとも記す）が被覆部１２により覆われた状態となる。
【００２７】
露出部１１は、患者が動かすことのできる指を入れて押しボタン２１Ａを操作するための開口である。ここで、動かすことのできる指は患者によって異なる。よって、患者の動かすことのできる指の位置に露出部１１が配置されるように押しボタン式子機用カバー１０を設置すればよい。本実施形態の押しボタン式子機用カバー１０は、台座２２の上に板敷き部１３を合わせるようにして載置するだけなので、露出部１１の向きは任意に調整が可能である。図３（ａ）は、右手の人差し指の位置に露出部１１が位置するようにして押しボタン式子機用カバー１０を設置した状態を示している。
【００２８】
図３（ａ）のように押しボタン式子機用カバー１０を設置した後、患者は、手のひらの指の付け根辺りの部分を押しボタン式子機用カバー１０の被覆部１２に乗せるとともに、患者の動かすことのできる指を露出部１１から押しボタン式子機用カバー１０の中に入れて、押しボタン式子機２０の本体２１の上に指を置いた状態にして待機する。この待機状態へのセッティングは、他者の力を借りて行えばよい。そして、患者が医療従事者を呼び出したいと考えたときに、露出部１１から中に入れている指を動かして押しボタン２１Ａを押下する。
【００２９】
上述したように、本実施形態では、露出部１１の構成として、被覆部１２の上面の部分において中央部から縁部までを帯状に開口した形状としている。そのため、図３（ｂ）に示すように、押しボタン式子機２０の中央に配置された支柱２１Ｂも露出部１１において露出するようになっている。このような構成のため、患者は、押しボタン２１Ａを押下しない待機状態のときは指先を支柱２１Ｂに乗せておき、押しボタン２１Ａを押下するときに指先を押しボタン２１Ａの露出部分２１Ａ-Rまで少し移動させて押下することが可能である。
【００３０】
また、本実施形態では、被覆部１２を形成している円筒体の高さを押しボタン式子機２０の本体２１の高さよりもわずかに高いサイズとすることを推奨している。この場合は、被覆部１２の上面と、露出部１１から露出されている押しボタン２１Ａの露出部分２１Ａ-Rとの段差が小さくなるので、当該押しボタン２１Ａの露出部分２１Ａ-Rを押下するために指先を動かすときのストロークができるだけ短くなるようにすることができる。これにより、患者は、指先のわずかな動きで押しボタン２１Ａを簡単に押下することが可能である。
【００３１】
以上詳しく説明したように、本実施形態では、置いた状態の上面に押しボタン２１Ａが設けられた押しボタン式子機２０の本体２１の上面から覆う押しボタン式子機用カバー１０を設け、少なくとも押しボタン２１Ａの一部２１Ａ-Rを露出部１１によって露出させ、押しボタン２１Ａの他の部分２１Ａ-Hを被覆部１２によって覆うように構成している。
【００３２】
このように構成した本実施形態によれば、押しボタン式子機２０の本体２１を上面から押しボタン式子機用カバー１０で覆い、押しボタン２１Ａが覆われている被覆部１２の部分に患者の手のひらを乗せるとともに、押しボタン２１Ａが覆われていない露出部１１の部分から患者の動かすことのできる指を中に入れて、内部にある押しボタン式子機２０の本体２１の上に指を置いた状態で待機しておくようにすれば、待機状態のときに手の重さで押しボタン２１Ａが押されてしまうことを被覆部１２により防ぎつつ、必要に応じて患者の意思で指を動かすことによって押しボタン２１Ａを操作することができるようになる。これにより、指先のみを自分の意図通りに動かすことができる患者でも、押しボタン式子機２０の押しボタン２１Ａを適切に操作することができるようになる。
【００３３】
なお、上記実施形態では、押しボタン式子機用カバー１０を押しボタン式子機２０の台座２２の上に載置するだけの構成例を示したが、本発明はこれに限定されない。例えば、押しボタン式子機用カバー１０の板敷き部１３および押しボタン式子機２０の台座２２の双方に、互いに係合する係合構造を設け、当該係合構造によって押しボタン式子機用カバー１０を押しボタン式子機２０の台座２２に係止させるようにしてもよい。この場合においても、露出部１１の位置（向き）を任意に調整可能なように係合構造を構成するのが好ましい。
【００３４】
また、上記実施形態では、被覆部１２の形状を円筒体とする例について説明したが、本発明はこれに限定されない。例えば、図２に示す押しボタン式子機２０の本体２１の全体を収容可能な容積を有する椀状体としてもよい。また、押しボタン式子機の水平断面形状が矩形の場合は、その形状に合わせて、被覆部１２の形状を水平断面が矩形の筒状体としてもよい。
【００３５】
また、上記実施形態では、押しボタン式子機２０の円盤状の本体２１を収容する形状として押しボタン式子機用カバー１０を円筒体により構成する例について説明したが、本発明はこれに限定されない。例えば、図４に示すように、押しボタン式子機２０の本体２１を収容する被覆部１２に延設された手のひら載置部１５を更に備えるようにしてもよい。手のひら載置部１５は、例えば、被覆部１２の上面を水平方向に延長したような水平面を有する任意形状の筒状体または柱状体である。あるいは、コンピュータの周辺機器であるマウスのように、湾曲した表面形状を有する筒状体または柱状体としてもよい。また、上述した手のひら載置部１５が円筒体の押しボタン式子機用カバー１０と別体であっても良い。その場合、この手のひら載置部１５は、押しボタン式子機用カバー１０に隣接して設置される。ここで、手のひら載置部１５の材質を押しボタン式子機用カバー１０と異なる材質（例えば、弾性部材やタオルを丸めたものなど）により構成するようにしても良い。
【００３６】
手のひら載置部１５を設けることにより、患者は、手のひら全体または手のひらのほとんどの部分を手のひら載置部１５に置いた状態で待機することが可能となる。これにより、手首の角度や手のひらなどをできるだけ自然な状態にして待機することができ、手に係る負担を軽減することができる。また、手のひら載置部１５を押しボタン式子機用カバー１０と別体とすることで、露出部１１と手のひら載置部１５との位置関係を自由に設定することができる。
【００３７】
また、上記実施形態では、被覆部１２を形成している筒状体の上面および側面に連接する切り欠きとして露出部１１を構成する例について説明したが、本発明はこれに限定されない。例えば、被覆部１２の側面には切り欠きを設けず、被覆部１２の上面の中央部から縁部までの部分を帯状に開口した穴により露出部１１を構成するようにしてもよい。また、被覆部１２の上面の中央部（押しボタン式子機用カバー１０の内側に配置される押しボタン式子機２０の支柱２１Ｂに対向する部分）は開口させず、押しボタン２１Ａに対向する部分だけを開口させた穴により露出部１１を構成するようにしてもよい。
【００３８】
また、図２に示す押しボタン式子機２０に代えて、特許文献１のように円盤状の中央部分が押しボタンとなっているタイプの押しボタン式子機を用いる場合は、図５のように押しボタン式子機用カバー１０’を構成してもよい。図５に示す押しボタン式子機用カバー１０’では、押しボタンの一部（全部でもよい）を露出させる露出部１１’を、被覆部１２’を形成している筒状体の上面（椀状体の場合は湾曲面部）に設けられた円形の穴により構成している。この場合の穴も、１本の指が入る程度の幅（直径）を有するものとする。なお、この場合の穴は円形に限らない。
【００３９】
また、上記実施形態では、安定板２３を備えた押しボタン式子機２０の本体２１を覆うための押しボタン式子機用カバー１０の構成例について説明したが、安定板２３がないタイプ（本体２１および台座２２のみで構成されるタイプ）の押しボタン式子機にも同様に適用することが可能である。安定板２３がないタイプの押しボタン式子機に適用する押しボタン式子機用カバーの場合は、図６に示すように、押しボタン式子機用カバー１０”が安定板１６を備える構成としてもよい。
【００４０】
図６に示す押しボタン式子機用カバー１０”は、被覆部１２の底面に固着された平面状の安定板１６を更に備えている。図６に示す押しボタン式子機用カバー１０”の場合、安定板１６の被覆部１２の直下に当たる部分は開口１６Ａとしておき、この開口１６Ａから押しボタン式子機を被覆部１２内に挿入可能に構成する。あるいは、安定板１６の被覆部１２の直下に当たる部分に開閉可能な蓋を設け、当該蓋を開くことによって形成される開口から押しボタン式子機を被覆部１２内に挿入可能に構成してもよい。このように押しボタン式子機用カバー１０”が安定板１６を備える場合、被覆部１２の内径は、押しボタン式子機の台座２２の直径よりも大きくすることにより、台座２２を含めて押しボタン式子機を被覆部１２の内部に収容可能とするのが好ましい。
【００４１】
また、本実施形態の押しボタン式子機用カバー１０（１０’，１０”）によって覆う押しボタン式子機は、ケーブルが接続された有線型の押しボタン式子機に限らず、無線型の押しボタン式子機であってもよい。
【００４２】
また、上記実施形態では、押しボタン式子機用カバー１０（１０’，１０”）と押しボタン式子機２０とが別体である構成について説明したが、一体として構成してもよい。例えば、上面に押しボタン２１Ａが設けられた本体２１と、本体２１の上面から覆うカバーであって、少なくとも押しボタン２１Ａの一部を露出させるとともに、当該一部以外の部分を覆うように構成されたカバーとが一体として構成された押しボタン式子機としてもよい。また、押しボタン式子機は、本体２１の底面に設けられた台座２２と、台座２２の底面に固着された平面状の安定板２３とを更に一体として備えるようにしてもよい。
【００４３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４４】
１０，１０’，１０”  押しボタン式子機用カバー
１１，１１’  露出部
１２，１２’  被覆部
１３  板敷き部
１４  突起
１５  手のひら載置部
１６  安定板
２０  押しボタン式子機
２１  本体
２１Ａ  押しボタン
２２  台座
２３  安定板  
【図１】
2019212505.tif 000003
【図２】
2019212505.tif 000004
【図３】
2019212505.tif 000005
【図４】
2019212505.tif 000006
【図５】
2019212505.tif 000007
【図６】
2019212505.tif 000008